(57)【要約】【課題】太陽電池パネルを保護できると共に、この保護のための技術的手段及び太陽電池パネルの外観不良を原因とする見栄えの低下を抑制できる充電器を提供する。【解決手段】携帯電話用の充電器1は、ケース2、太陽電池パネル25、スペーサ19、蓄電池28、充電コネクタ21、及び充放電制御装置を具備する。パネル25が内蔵されるケース2は、カバー部材11とこれに連結されるベース部材3を備える。カバー部材11は、太陽光の透過を許すと共にパネル25を見え難くする多数の微小レンズ（透過光制御凸部）18aが設けられたレンチキュラーレンズ部（パネルカバー部）18を有する。レンズ部18の裏面とこれに対向したパネル25の受光面とをスペーサ19により接触させないようにする。パネル25が発電した電力を蓄える蓄電池28と充放電制御装置をケース2に内蔵する。充放電制御装置を経由して、パネル25が発電した電力を蓄電池28に蓄えさせ、かつ、充電コネクタ21の使用時に蓄電池28の電力を携帯電話に供給するようにしている。【選択図】      図３
2009183026.tif 000002
【特許請求の範囲】
【請求項１】
光電変換をする太陽電池パネルと、
この太陽電池パネルを内蔵したケースであって、前記太陽電池パネルの光入射面に対向する透光性パネルカバー部を有したカバー部材、及びこのカバー部材に連結されたベース部材を備えてなるとともに、前記パネルカバー部の全面にわたり前記太陽電池パネルを発電させる波長の光の透過を許すとともに前記太陽電池パネルを見え難くする多数の透過光制御凸部が設けられている前記ケースと、
前記パネルカバー部の裏面と前記太陽電池パネルの受光面とを接触させないようにするスペーサと、
前記ケースに内蔵されて前記太陽電池パネルが発電した電力を蓄える蓄電池と、
この蓄電池の電力を前記ケース外に供給する充電コネクタと、
前記ケースに内蔵され、前記太陽電池パネルが発電した電力を前記蓄電池に蓄えさせるとともに、前記充電コネクタの使用時に前記蓄電池の電力を出力させる充放電制御装置と、
を具備したことを特徴とする携帯型電気機器用充電器。
【請求項２】
前記スペーサが前記パネルカバー部の裏面から一体に突設されて前記太陽電池パネルに接する少なくとも一個の突起であることを特徴とする請求項１に記載の携帯型電気機器用充電器。
【発明の詳細な説明】
【技術分野】
【０００１】
本発明は、例えば携帯電話等の携帯型電気機器に対する充電のために用いられる充電器に係り、特に、充電電力を光電変換によって得る太陽電池パネルを備えた携帯型電気機器用充電器に関する。
【背景技術】
【０００２】
従来、携帯電話用充電器の中には、太陽電池パネル(ソーラーパネル)を備えたものが知られている。この種の充電器では、蓄電池及び充放電のための制御装置などを内蔵したボディの表面の略全面を被って太陽電池パネルが配置されている(例えば、特許文献１参照。)。
【特許文献１】特許第３５８０８０６号公報（段落0011,0019、図１−図３、図１０、図１１）
【発明の開示】
【発明が解決しようとする課題】
【０００３】
従来の充電器では、ボディの前面に露出している太陽電池パネルが傷付き易いとともに、充電器が落下した際等に太陽電池パネルが直接衝撃を受け易い。
【０００４】
そこで、本発明者はケースに太陽電池パネルを内蔵してこのパネルを保護する充電器を開発するに至ったが、以下の点で改善すべき課題があることがわかった。
【０００５】
すなわち、太陽電池パネルは、所定数の光電変換素子を直列に接続して絶縁基板の片面に配置し、この絶縁基板全体を、光電変換をする波長を通す黒色系の合成樹脂内に埋めて封止してなるので、その製造過程を原因として、太陽電池の表面(受光面)に変色や滲み等を生じて外観不良となる場合がある。
【０００６】
ところで、ケースに太陽電池パネルが内蔵された充電器では、太陽電池パネルと対向したケース部分は太陽光の通過を許すために透明に作られるので、太陽電池パネルの外観が既述のように不良である場合には、その外観不良が容易に目視されてしまう。そのため、発電性能が十分な太陽電池パネルであっても、このパネルの外観が不良であると、充電器の見栄えが悪くなり商品性に悪影響を与える。そこで、こうした充電器は外観検査で排除せざるを得ない。したがって、充電器に使用可能な太陽電池パネルは予め外観検査で選別して置く必要があるから、太陽電池パネルの資源を有効に利用し難い傾向がある。
【０００７】
しかも、ケースに太陽電池パネルが内蔵された充電器において、太陽光の入射を可能とするケースの透明なケース部分に太陽電池パネルを接触させて、太陽電池パネルががたつかないように支持することは好ましい。しかし、透明なケース部分の裏面も太陽電池パネルの表面(受光面)も平滑度が高いので、これらの接触によりモアレ(干渉縞)が発生する場合がある。更に、温湿度の影響により透明なケース部分と黒色系の太陽電池パネルとが部分的に接触して、その接触部がライン状となって出現する等黒色系のまだら模様が発生する場合がある。これらモアレやまだら模様が目視されることも、充電器の見栄えを悪くするので、この充電器の商品性に悪影響を与える。したがって、こうしたことがないようにすることが望まれている。
【０００８】
本発明の目的は、太陽電池パネルを保護できるとともに、この保護のための技術的手段及び太陽電池パネルの外観不良を原因とする見栄えの低下を抑制できる携帯型電気機器用充電器を提供することにある。
【課題を解決するための手段】
【０００９】
請求項１の発明は、光電変換をする太陽電池パネルと、この太陽電池パネルを内蔵したケースであって、前記太陽電池パネルの光入射面に対向する透光性パネルカバー部を有したカバー部材、及びこのカバー部材に連結されたベース部材を備えてなるとともに、前記パネルカバー部の全面にわたり前記太陽電池パネルを発電させる波長の光の透過を許すとともに前記太陽電池パネルを見え難くする多数の透過光制御凸部が設けられている前記ケースと、前記パネルカバー部の裏面と前記太陽電池パネルの受光面とを接触させないようにするスペーサと、前記ケースに内蔵されて前記太陽電池パネルが発電した電力を蓄える蓄電池と、この蓄電池の電力を前記ケース外に供給する充電コネクタと、前記ケースに内蔵され、前記太陽電池パネルが発電した電力を前記蓄電池に蓄えさせるとともに、前記充電コネクタの使用時に前記蓄電池の電力を出力させる充放電制御装置と、を具備したことを特徴としている。
【００１０】
この請求項１の発明では、太陽電池パネルをケースに内蔵したので、このケースにより太陽電池パネルを物理的に保護できる。そして、ケースのカバー部材の太陽電池パネルと対向する透光性パネルカバー部の全面にわたって設けられた多数の透過光制御凸部は、ケースに内蔵されている太陽電池パネルを発電させる波長の光の透過を許すとともに太陽電池パネルを見え難くするので、太陽電池パネルを発電させる場合には、パネルカバー部を透過する太陽光等の光を太陽電池パネルに受光させることができ、また、ケースを正面側から目視した場合に、パネルカバー部を通して太陽電池パネルの受光面を見え難くすることができる。このため、太陽電池パネルの受光面が変色や滲み等によって外観不良となっていても、それが目立って目視されて見栄えが低下することを抑制できる。更に、パネルカバー部の裏面と太陽電池パネルの受光面との間にスペーサを設けたので、これらの接触によるモアレやまだら模様の発生が抑制されるに伴い、見栄えが低下することを抑制できる。
【００１１】
請求項２の発明は、請求項１の発明において、前記スペーサが前記パネルカバー部の裏面から一体に突設されて前記太陽電池パネルに接する少なくとも一個の突起であることを特徴としている。
【００１２】
この請求項２の発明では、突起からなるスペーサがパネルカバー部と一体であるので、充電器の組立て上有利であるとともに、カバー部材のパネルカバー部に太陽電池パネルをがたつかないように支持できる点で好ましい。
【発明の効果】
【００１３】
請求項１，２に係る発明の携帯型電気機器用充電器によれば、太陽電池パネルを保護できるとともに、この保護のための技術的手段及び太陽電池パネルの外観不良を原因として見栄えが低下することを抑制できる、という効果がある。
【発明を実施するための最良の形態】
【００１４】
図面を参照して本発明の一実施形態を説明する。
【００１５】
図１〜図４中符号１は携帯型電気機器用充電器例えば携帯電話（図示しない）用の充電器を示している。この充電器１は、ケース２と、スペーサ１９と、充電コネクタ２１と、太陽電池パネル２５と、蓄電池２８と、充放電制御装置３５とを具備している。
【００１６】
ケース２は、ベース部材３とこれに連結されたカバー部材１１とを備えている。
【００１７】
ベース部材３は例えば不透明な合成樹脂の一体成型品からなる。図２、図３（Ａ）、及び図４に示すようにベース部材３は、周縁に上向きに折れ曲がった側壁を有していて、上面が開放されている。ベース部材３の長手方向に延びた側壁３ａの内面の複数個所に嵌め合いリブ４が夫々形成されている。これら嵌め合いリブ４は上下方向に延びていて、それらの上端部は側壁３ａの上端より突出している。
【００１８】
ベース部材３の内側に、上向きの基板支えリブ５及び電池位置決めリブ６が夫々に形成されているとともに、複数例えば３箇所に連結凸部７が突設されている。図２に示すように連結凸部７の裏側はベース部材３の裏面に開放されている。更に、図３（Ａ）に示すようにベース部材３にはコネクタ収容部８が形成されている。コネクタ収容部８はベース部材３の裏面に開放されている。
【００１９】
コネクタ収容部８には図３（Ａ）及び図４に示した充電コネクタ２１がベース部材３の裏側から着脱可能に収容されるようになっている。充電コネクタ２１は、図示しない携帯電話の受電部に着脱可能に差込み接続される接続部２１ａを有している。充電コネクタ２１が有したコード２１ｂはコネクタ収容部８を通ってケース２内に引込まれて、後述する充放電制御装置３５に接続されている。図４中符号８ａは、コネクタ収容部８に形成されたコード２１ｂのケース内引込み部を示している。この充電コネクタ２１の接続部２１ａを携帯電話に接続することにより、後述する蓄電池２８に蓄えられた電力が携帯電話に供給されるようになっている。
【００２０】
なお、以上のようにケース２がコネクタ収容部８を有した構成によれば、非使用状態の充電コネクタ２１をコネクタ収容部８に収めて保持できるので、充電器１の体裁が良いとともに、この充電器１を格納する際に、充電コネクタ２１が邪魔にならない点で有利である。しかし、本発明では、コネクタ収容部８は省略してケース２を小形化できるとともに、充電コネクタ２１をケース２外に引出されたままの状態に設けて実施することも可能である。
【００２１】
カバー部材１１は全体が透光性材料例えば透明アクリル樹脂の一体成型品からなる。カバー部材１１は、周縁に下向きに折れ曲がった側壁を有しているとともに、上方から見てベース部材３と同じ大きさに作られている。このカバー部材１１の周部裏面に、図７等に示すように複数の基板押えリブ１２と、単一の表示灯押えリブ１４とが、夫々下向きに突設されている。
【００２２】
カバー部材１１の周部裏面に、前記連結凸部７に対応して３個のねじ受けボス１５が下向きに突設されている。更に、図４、図６、及び図７に示すようにカバー部材１１は、その周部にコの字状のスリット１６ａにより区画された押圧操作部１６を有している。押圧操作部１６は上方から押された場合にケース２の内側方向に撓んで変形可能である。図６及び図７に示すように押圧操作部１６の裏面に押圧凸部１６ｂが突設されている。
【００２３】
図７に示すようにカバー部材１１はその周部とこの内側とを区画する四角環状のリブ１７を有していて、このリブ１７で囲まれた内側領域と略同じ領域を占めて透光性のパネルカバー部例えばレンチキュラーレンズ部１８が形成されている。したがって、カバー部材１１の周部はレンチキュラーレンズ部１８のつば(周縁部)を兼ねている。
【００２４】
図３（Ａ）（Ｂ）に示すようにレンチキュラーレンズ部１８は、その表面(光入射面)に多数の透過光制御凸部例えば蒲鉾形の微小レンズ１８ａを並設したレンズ群からなるとともに、図２及び図３（Ａ）等に示すようにレンチキュラーレンズ部１８の裏面１８ｂは平坦面で形成されている。図３（Ｂ）に示すように微小レンズ１８ａの半径Ｒは、（0.75±1.00）mmの範囲であり、好ましくは（0.75±0.02）mmである。したがって、微小レンズ１８ａは〔（0.75±1.00）×２〕mmのピッチＰ、好ましくは〔（0.75±0.03）×２〕mmのピッチＰで並べられている。微小レンズ１８ａのピッチＰが（0.75±0.02）mmである場合、隣接した微小レンズ１８ａ間に形成される谷の深さＤは（0.50±0.02）mmであることが好ましい。
【００２５】
微小レンズ１８ａの半径Ｒが前記寸法範囲の下限値より小さい場合には、レンチキュラーレンズ部１８の成形型が細密化するに伴い型費が増えてカバー部材１１の成型コストが高くなるので好ましくない。この逆に、微小レンズ１８ａの半径Ｒが前記寸法範囲の上限値より大きい場合には、太陽電池パネル２５を目視し難くする性能を実用上必要十分に得難くなるので好ましくない。
【００２６】
なお、本実施形態ではレンチキュラーレンズ部１８をカバー部材１１と一体に形成したが、これに代えて、カバー部材１１を、このカバー部材１１の周部に相当する枠部と、この枠部とは別体に成形されるとともに前記枠部に接着剤等により一体化されたレンチキュラーレンズ部１８とで形成することも可能である。この場合、カバー部材１１の周部は、透光性を有さない合成樹脂で作ることが可能である。それにより、カバー部材１１の周部を通してのケース内蔵物の目視を妨げることができるとともに、カバー部材１１の色を任意に設定できるので、充電器１の意匠を向上することが可能である。
【００２７】
スペーサ１９は、本実施形態の場合、レンチキュラーレンズ部１８の裏面１８ｂに一体に突設されている。この突起からなるスペーサ１９は少なくとも一つあれば良いが、後述する太陽電池パネル２５を安定させるために複数例えば図７に示すように５箇所設けられている。各スペーサ１９は前記蒲鉾形の微小レンズ１８ａの真裏に配置されているが、これに代えて隣接した微小レンズ１８ａ間にわたってこれら微小レンズ１８ａ間の谷に対向するように設けることもでき、このようにする場合には、微小レンズ１８ａでスペーサ１９が拡大して目視されないようにできる点で好ましい。
【００２８】
なお、本発明において、スペーサ１９はパネルカバー部をなしたレンチキュラーレンズ部１８に設けることには制約されない。例えば、前記環状のリブ１７の中間の高さ位置においてその内周面に突設された凸部をスペーサ１９として用いても良い。この場合、凸部からなるスペーサ１９は、リブ１７の周方向に沿って連続して又は間隔的に設けられる。又は、レンチキュラーレンズ部１８の好ましくは周部裏面、若しくは後述する太陽電池パネル２５の好ましくは周部等に所定厚みの接着テープ等を貼り付けて、それをスペーサ１９として用いることも可能である。しかし、本実施形態のように突起からなるスペーサ１９をレンチキュラーレンズ部１８に一体に形成した構成によれば、接着の手間などを要しないので、充電器１の組立て上有利であるとともに、レンチキュラーレンズ部１８の裏面１８ｂに後述の太陽電池パネル２５を支持できる点で好ましい。
【００２９】
前記ベース部材３とカバー部材１１とは互いの開放面を合わせて組合わされている。この組合せにおいて、ベース部材３の各嵌め合いリブ４の上端部が、カバー部材１１の側壁内面に係合されることにより、ベース部材３に対してカバー部材１１が位置決めされるようになっている。そして、この状態において、複数の連結ねじ９によりベース部材３とカバー部材１１とが連結されて、ケース２が組立てられている。図２に示すように連結ねじ９は、ベース部材３の裏側から連結凸部７内に挿入されてカバー部材１１のねじ受けボス１５に螺合されている。
【００３０】
このケース２に、太陽電池パネル２５、蓄電池２８、制振部材３１、及び充放電制御装置３５が内蔵されている。
【００３１】
太陽電池パネル２５は少なくとも一個(本実施形態では一個)使用されている。太陽電池パネル２５は、所定数の光電変換素子を直列に接続して絶縁基板の片面に配置し、この絶縁基板全体を、光電変換をする波長を通す黒色系の合成樹脂内に埋めて封止して形成されている。この太陽電池パネル２５は、例えばレンチキュラーレンズ部１８と略同じ大きさであって、前記環状のリブ１７の内側に嵌合されることにより位置決めされて、レンチキュラーレンズ部１８の裏面１８ｂに対向して近接配置されている。
【００３２】
蓄電池２８は、太陽電池パネル２５が発電した電力を蓄えるものであって、前記電池位置決めリブ６で位置決めされてベース部材３に収容されている。この収容により蓄電池２８は図２及び図３(Ａ）に示すように太陽電池パネル２５の下方に配置されている。
【００３３】
制振部材３１は、弾性変形が可能な材料例えばウレタン樹脂のスポンジ状発泡体やゴム等で作られているとともに、蓄電池２８より小さい。制振部材３１は例えば太陽電池パネル２５と蓄電池２８との夫々に面接触してこれらの間に圧縮状態に挟設されている。この制振部材３１の弾性力で、太陽電池パネル２５がスペーサ１９に押付けられているとともに、蓄電池２８がベース部材３の内底面に押付けられている。なお、制振部材３１は、既述の連結ねじ９の締め付けによりケース２が組立てられるに伴って圧縮されるようになっている。
【００３４】
これにより、太陽電池パネル２５及び蓄電池２８がケース２内で上下方向にがたつかないように保持されている。これとともに、太陽電池パネル２５及び蓄電池２８の夫々と制振部材３１との間での摩擦力により、図２及び図３（Ａ）において太陽電池パネル２５及び蓄電池２８がケース２内で水平方向にがたつかないように保持されている。更に、以上のようにレンチキュラーレンズ部１８に一体に形成されたスペーサ１９に太陽電池パネル２５を押付けることにより、レンチキュラーレンズ部１８に対する太陽電池パネル２５の位置を、ケース２の厚み方向に関して正確に決めできる。
【００３５】
充放電制御装置３５と、太陽電池パネル２５、蓄電池２８、及び充電コネクタ２１の夫々は電気的に接続されている。充放電制御装置３５は、プリント配線板３６に所要の回路部品３７（図４に一部の回路部品のみ図示する。）を搭載して形成されていて、太陽電池パネル２５が発電した電力を蓄電池２８に蓄えさせる充電用回路部と、充電コネクタ２１の使用時に携帯電話を充電するために蓄電池２８の電力を出力させる放電用回路部を有している。更に、充放電制御装置３５は、プリント配線板３６に搭載されたバッテリモニタ用のモニタスイッチ３８、及び例えば３個の表示灯３９ａ〜３９ｃを有している。
【００３６】
図５及び図６等に示すように充放電制御装置３５は、ベース部材３の基板支えリブ５に載置されていて、この基板支えリブ５とカバー部材１１の基板押えリブ１２とで挟まれている。
【００３７】
モニタスイッチ３８は、前記押圧操作部１６の裏面の押圧凸部１６ｂの直下に配置されていて、押圧操作部１６が押込み操作された際に、押圧凸部１６ｂで押されてオンされる。モニタスイッチ３８がオンされることにより、蓄電池２８の電力で表示灯３９ａ〜３９ｃが発光されるようになっている。表示灯３９ａ〜３９ｃは発光素子例えばＬＥＤ（発光ダイオード）からなる。蓄電池２８の電力が例えば７０％〜満充電の状態にあるときには、全ての表示灯３９ａ〜３９ｃが発光され、蓄電池２８の電力が３０％〜７０％の充電状態にあるときは、表示灯３９ａ，３９ｂが発光され、蓄電池２８の電力が３０％未満のときは、表示灯３９ｃのみが点灯される。したがって、使用者は、モニタスイッチ３８をオンすることに伴う表示灯の発光より、蓄電池２８の電池容量の状態を大まかに知ることができる。
【００３８】
発光状態を視認し易くするために、表示灯３９ａ〜３９ｃの先端部は、図１及び図２に示すようにベース部材３とカバー部材１１の側壁の合わせ面を通ってケース２外に僅かに突出されている。なお、本実施形態では、カバー部材１１の周部も透光性を有しているので、発光による表示性能が高いとともに、モニタスイッチ３８の位置も透かし見ることができるので、透光性の押圧操作部１６の位置を認識し易い。又、各表示灯３９ａ〜３９ｃのリードは図５に示されるように表示灯押えリブ１４で上方から押えられている。
【００３９】
前記構成の充電器１は、太陽電池パネル２５をケース２に内蔵しているので、このケース２により太陽電池パネル２５を物理的に保護できる。すなわち、太陽電池パネル２５が傷付くことをカバー部材１１により防止できるとともに、充電器１が落下した際等に太陽電池パネル２５が直接衝撃を受けて損傷することをケース２のカバー部材１１により防止できる。しかも、太陽電池パネル２５をカバー部材１１に設けたスペーサ１９に押付け保持している制振部材３１は弾性変形可能であるので、充電器１が落下した際に太陽電池パネル２５に作用する衝撃を、制振部材３１の弾性変形により緩和することもできる。
【００４０】
前記構成の充電器１は、そのケース２のカバー部材１１の太陽電池パネル２５と対向する部位がレンチキュラーレンズ部１８となっている。このレンチキュラーレンズ部１８の各微小レンズ１８ａで光が屈折されることによって、充電器１を正面から見た場合、太陽電池パネル２５の前面からなる受光面（光入射面）が見え難くなる。
【００４１】
このため、太陽電池パネル２５の受光面が変色や滲み等によって外観不良となっていても、それが目立って目視されて充電器１の見栄えが低下することを抑制できる。これにより、外観不良の太陽電池パネル２５が使用された場合であっても、見栄えを原因とする商品性の低下を抑制できる。これとともに、外観不良の太陽電池パネル２５を用いることが可能となることに伴い、外観不良により廃棄される太陽電池パネル２５の数が低減されるので、資源を有効に利用できる。
【００４２】
しかも、既述のケース２の組立てに伴ってレンチキュラーレンズ部１８にその裏側から太陽電池パネル２５が押付けられるにも拘らず、この太陽電池パネル２５は、スペーサ１９に当たって、レンチキュラーレンズ部１８の平坦な裏面１８ｂに太陽電池パネル２５の平坦な受光面が密接しないように位置決めされる。これにより、レンチキュラーレンズ部１８の裏面１８ｂと太陽電池パネル２５の受光面との面接触によるモアレ(干渉縞)の発生や、前記両面が部分的に接触しその接触箇所によるまだら模様の発生が抑制されて、それらがレンチキュラーレンズ部１８を通して目視されることがないので、充電器１の見栄えを原因とする商品性の低下を抑制できる。
【００４３】
又、充電器１は、そのカバー部材１１が太陽光を受けるように置くことで、太陽光がレンチキュラーレンズ部１８を透過して太陽電池パネル２５に受光されるので、この太陽電池パネル２５が発電する。そして、発電された電力は充放電制御装置３５の充電用回路部を経由して蓄電池２８に蓄えられる。
【００４４】
そのため、こうした発電状態、若しくはモニタスイッチ３８が押圧操作されるに伴い蓄電池２８に蓄えられた電力が十分であることが確認された状態で、充電コネクタ２１をケース２のコネクタ収容部８から引出して携帯電話の受電部に接続することにより、充放電制御装置３５の放電用回路部を経由して蓄電池２８の電力を携帯電話に供給して、携帯電話に内蔵された電話用蓄電池を充電することができる。
【００４５】
なお、本発明は前記一実施形態には制約されない。例えば、一実施形態で説明したようにレンチキュラーレンズ部（パネルカバー部）１８は、透過光制御凸部としてレンチキュラーレンズ部１８の一辺又はこれに直角な他辺と平行な直線状の蒲鉾型の微小レンズ１８ａを有しているが、太陽電池パネル２５に対向する透光性のパネルカバー部は、以下に説明する構成であってもよい。すなわち、微小レンズに相当しかつ断面が半円形状、又は三角形状、或いは台形状等をなす微小凸部からなる多数の透過光制御凸部が、夫々独立して全面にわたり設けられたパネルカバー部を用いることができる。この場合、パネルカバー部を透過する光に所要の屈折を行わせる多数の透過光制御凸部は、任意の配列で設けることが可能であるとともに、規則性が無くランダムに配設することも可能である。
【００４６】
又、パネルカバー部（レンチキュラーレンズ部１８）は、前記一実施形態とは逆の構成、つまり、表面が平坦面をなすとともに裏面に微小レンズ１８ａ等の透過光制御凸部群を設けた構成とすることもできる。このようにした場合には、透過光制御凸部（微小レンズ１８ａ）群の谷に埃が付着し難いとともに、表面の掃除がし易いので、パネルカバー部（レンチキュラーレンズ部１８）での光透過性能を長期間にわたり持続し易い点で好ましい。
【図面の簡単な説明】
【００４７】
【図１】本発明の一実施形態に係る携帯電話用の充電器を示す斜視図。
【図２】図１中Ｆ２−Ｆ２線に沿う充電器の断面図。
【図３】（Ａ）は図１中Ｆ３−Ｆ３線に沿う充電器の断面図。（Ｂ）は図３（Ａ）のＦ３Ｂ部を拡大して示す断面図。
【図４】図１の充電器を分解して示す斜視図。
【図５】図１中Ｆ５−Ｆ５線に沿う充電器の断面図。
【図６】図１中Ｆ６−Ｆ６線に沿う充電器の断面図。
【図７】図１の充電器のケースが有したカバー部材を裏側から見て示す斜視図。
【符号の説明】
【００４８】
１…充電器、２…ケース、３…ベース部材、１１…カバー部材、１８…レンチキュラーレンズ部（パネルカバー部）、１８ａ…微小レンズ（透過光制御凸部）、１９…スペーサ、２１…充電コネクタ、２５…太陽電池パネル、２８…蓄電池、３５…充放電制御装置
【図１】
2009183026.tif 000003
【図２】
2009183026.tif 000004
【図３】
2009183026.tif 000005
【図４】
2009183026.tif 000006
【図５】
2009183026.tif 000007
【図６】
2009183026.tif 000008
【図７】
2009183026.tif 000009